(57)【要約】【課題】油のクラスターを切断することで、天ぷら油等では長期間の使用が可能となり、ガソリン等の燃料では燃費を向上することができるようにした油のクラスター切断具を提供するものである。【解決手段】油のクラスター切断具１０は、多数の貫通穴１４を形成した容器１２内に、多数のトルマリン１６と、多数のアルミニウム１８を収納する。この油のクラスター切断具１０を油の中に入れ、揺れや振動や回転等の移動できる状態とする。トルマリン１６はアルミニウム１８と共に揺れや振動や回転等の移動をすることによって、油のクラスターを切断する。油が天ぷら油等の食用油である場合には、クラスターの切断によって油が還元されて、天ぷら油を長期間にわたって使用することができる。油がガソリン等の燃料である場合には、クラスターが切断されて燃料が酸素と結合し易くなり、燃費が向上し、排気ガスの中の窒素酸化物と二酸化炭素を減少させることができる。【選択図】　　　図１
2004143382.tif 000002
【特許請求の範囲】
【請求項１】
油の内部に漬けるものであって、内外に通じる多数の穴を形成したもので油や空気によって錆びることがなく耐熱性のある素材の容器と、その容器内に収容するトルマリン並びにアルミニウムとから成ることを特徴とする油のクラスター切断具。
【請求項２】
前記容器の素材が、アルミニウムまたはステンレスであることを特徴とする請求項１記載の油のクラスター切断具。
【請求項３】
前記トルマリンと前記アルミニウムの重量比を１：１０〜１０：１とすることを特徴とする請求項１記載の油のクラスター切断具。
【請求項４】
前記油が燃料である場合に、金属製容器の外面の縁に電気的絶縁材料から成るカバーを取付けることを特徴とする請求項１記載の油のクラスター切断具。
【発明の詳細な説明】
【０００１】
【発明の属する技術分野】
本発明は、油の酸化を防止するためのクラスター切断具に関するものである。
【０００２】
【従来の技術】
従来から、天ぷら油は天ぷらを揚げる個数が多くなればなる程酸化が進み、酸化が進んだ天ぷら油で揚げた天ぷらは、味がまずくなると言われている。このため、天ぷらの専門店においては、天ぷらを揚げる個数の限度を決めて、その限度の個数の天ぷらを揚げた後は、今まで使用していた天ぷら油を捨てて、新しい天ぷら油を使用するようにしている。
従来から、油の一種であるガソリン等は、自動車等の乗物の燃料として使用されている。
【０００３】
電子放射電極棒を油の中に入れて、電極に高圧交流静電位を印加して、食用油の酸化を防止するものが提供されている（例えば、特許文献１参照）。
【０００４】
【特許文献１】
特開平９−１００４８９号公報（第１−３頁）
【０００５】
【発明が解決しようとする課題】
天ぷら専門店で限定された個数の天ぷらを揚げた後の天ぷら油や、一般家庭で天ぷらを揚げた後の天ぷら油は、酸化したという理由で捨てられる。このため、経済性が悪く、環境汚染の原因となるおそれがあった。
自動車等の乗物の燃料は、従来から燃費の点で何ら工夫がなされておらず、自動車等の燃費の向上は、エンジンや気化器の改良によってのみ行われていた。
【０００６】
本発明は上記不具合を解消するもので、油のクラスターを切断することで、天ぷら油等では長期間の使用が可能となり、ガソリン等の燃料では燃費を向上することができるようにした油のクラスター切断具を提供することを目的とするものである。
【０００７】
【課題を解決するための手段】
本発明に係る油のクラスター切断具は、油の内部に漬けるものであって、内外に通じる多数の穴を形成したもので油や空気によって錆びることがなく耐熱性のある素材の容器と、その容器内に収容するトルマリン並びにアルミニウムとから成るようにしたものである。
【０００８】
本発明に係る油のクラスター切断具は、前記容器の素材が、アルミニウムまたはステンレスとしたものである。本発明に係る油のクラスター切断具は、前記トルマリンと前記アルミニウムの重量比を１：１０〜１０：１としたものである。本発明に係る油のクラスター切断具は、前記油が燃料である場合に、金属製容器の外面の縁に電気的絶縁材料から成るカバーを取付けるようにしたものである。
【０００９】
【発明の実施の形態】
次に、本発明について図面に基づいて説明する。
図１は本発明に係る油のクラスター切断具の一実施形態を示す断面図である。油のクラスター切断具１０は、例えば円筒形の容器１２を有しており、容器１２には内外に通じる多数の貫通穴１４が形成されている。容器１２の内部には、例えば球状の多数のトルマリン（電気石）１６と、例えば板状のものをカールさせた多数のアルミニウム１８を収納する。容器１２は例えば直径が３０ｍｍで、高さが８０ｍｍの筒状とし、容器１２に形成する多数の貫通穴１４の直径を例えば１．５ｍｍとする。トルマリン１６の球の直径を例えば４ｍｍとし、アルミニウム１８の板状の長さ×幅を例えば４０ｍｍ×６ｍｍとして、トルマリン１６やアルミニウム１８が貫通穴１４を通して容器１２の内部から外部に漏れ出ないようにする。容器１２の大きさは特に限定するものではない。容器１２は、油にも空気にも錆びないもので、耐熱性があり、食用油内に溶けて人体に悪影響を及ぼすものではない素材を用いる。容器１２の素材は、コストが安価である点から、例えばステンレスやアルミニウムが望ましいが、前述の要件を備えるものであればこれに限るものではない。
【００１０】
容器１２内に収納するトルマリン１６とアルミニウム１８の重量比は、１：１０〜１０：１の範囲とする。それぞれの範囲の限界の数値は含むものとする。容器１２内に収納するトルマリン１６とアルミニウム１８の量は、容器１２内において、トルマリン１６やアルミニウム１８が自由に動き得る量とする。トルマリン１６が前述の範囲より少なくなれば、トルマリンによる油のクラスターの切断が少なくなり、油の還元作用が発生しなくなる。一方、アルミニウム１８が前述の範囲より少なくなれば、アルミニウム１８の働きが無くなってトルマリン１６による小さな電極が多数発生しなくなり、これも、トルマリンの働きによるクラスターの切断が少なくなり、油の還元作用が発生しなくなる。
【００１１】
トルマリンは、高温、高圧、振動、衝突等によって電気が発生する。容器１２の内部にトルマリン１６のみを入れて、トルマリン１６同士を衝突させた場合にに比べて、容器１２の内部にトルマリン１６とアルミニウム１８とを入れて両者を衝突させた場合には、トルマリン１６のみの場合と比べて大量の電気が発生する。このため、油のクラスター切断具１０を油の中に入れて、その油のクラスター切断具１０に移動や回転や振動等を与えれば、トルマリン１６は容器１２の内部でアルミニウム１８と衝突し、この結果トルマリン１６に大量の電気が発生し、その電気によって油のクラスターを切断する。
【００１２】
次に、油のクラスター切断具１０を天ぷら油に入れて使用する場合について説明する。油のクラスター切断具１０は、天ぷらを揚げる際に、天ぷら鍋に入れられた天ぷら油の中に入れて使用する。天ぷらを揚げる際の天ぷら油の適温は、天ぷらの種類にもよるが一般に１８０℃程度の高温であり、このような高温の天ぷら油内に入れられた油のクラスター切断具１０では、容器１２内のトルマリン１６に多数の電極が発生する。また、油のクラスター切断具１０は、天ぷら油の沸騰循環によって、天ぷら鍋の内部を転がされる。更に、油のクラスター切断具１０は、天ぷらを揚げる際に、天ぷらや箸と接触することによっても転がされる。このように、油のクラスター切断具１０を天ぷら油に入れて天ぷらを揚げると、容器１２が天ぷら鍋の中で転がされることによって、容器１２内のトルマリン１６とアルミニウム１８とが衝突する。これによって、トルマリン１６に多数の電極が発生し、天ぷら油のクラスターが切断され、天ぷら油が還元させられる。
【００１３】
天ぷらを大量に揚げると、天ぷら油の酸化が進んで、天ぷら油の中に不飽和脂肪酸が増加して天ぷらの味が落ちる。また、天ぷら油に野菜や魚や肉等の臭いが付く。このため、天ぷら専門店では、一般には１００人分の天ぷらを揚げた前後で、天ぷら油を新しいものと交換している。これに対して、本発明に係る油のクラスター切断具１０を入れた天ぷら油では、容器１２内のトルマリン１６に発生する多数の電極によって、油の分子の繋がりであるクラスターが切断され、天ぷら油が還元される。このため、１００人分の天ぷらを揚げても天ぷら油が酸化されず、しかも天ぷら油に野菜や魚や肉等の臭いが付かない。この結果、本発明に係る油のクラスター切断具１０を入れると、天ぷら油は大量の天ぷらを揚げてもそのまま使用することができ、その天ぷら油で揚げた天ぷらは美味しさが損なわれることはない。
【００１４】
ここで、約１００人分の天ぷらを揚げた後の過酸化物価（過酸化物の価）について、従来の天ぷら油のみを使用したものと、本発明に係る油のクラスター切断具１０を天ぷら油に入れて使用したものとの実験結果を明らかにする。天ぷら油のみを使用したものでは、過酸化物価は１４．４ｍｅｑ／Ｋｇとなり、本発明に係る油のクラスター切断具１０を天ぷら油に入れて使用したものでは、過酸化物価は８．５ｍｅｑ／Ｋｇであった。このことから、本発明に係る油のクラスター切断具１０を入れた天ぷら油は、酸化が進まないことが明らかである。なお、天ぷらを揚げると、天ぷら油が減少するが、本発明係る油のクラスター切断具１０を入れた天ぷら鍋では、新たな天ぷら油を継ぎ足して使用することができ、天ぷら油を捨てる必要がなくなる。このように、本発明に係る油のクラスター切断具１０を天ぷら油に使用することにより、天ぷら油を長期間使用することができ、しかも天ぷら油を途中で捨てる必要がなくなり、環境汚染の原因になることはない。
【００１５】
次に、油のクラスター切断具１０を自動車等の燃料タンクに入れて使用する場合について、図２に基づいて説明する。燃料タンク２０内に、図１に示した油のクラスター切断具１０を連結具２２を介して複数個連結した状態で収納する。油のクラスター切断具１０の容器１２の縁（へり）に、電気的絶縁材料から成るカバー２４を取付ける。例えば、容器１２が円柱形状である場合には、上下の円形の縁を電気的絶縁材料から成るカバー２４で覆う。油のクラスター切断具１０が燃料タンク２０内で揺れて、油のクラスター切断具１０が燃料タンク２０に接触する場合でも、容器１２の縁（へり）に取付けた電気的絶縁材料のカバー２４が燃料タンク２０の内壁に接触するため、容器１２は燃料タンク２０の内壁に直接接触することはない。ステンレスやアルミニウム等の金属製の容器１２と金属製の燃料タンク２０とが衝突すると、火花が発生するおそれがあるが、容器１２の縁（へり）に電気的絶縁材料のカバー２４を固定することによって、金属同士の接触や衝突を避けることができ、火花の発生を防止することができる。
【００１６】
なお、容器１２の縁（へり）に電気的絶縁材料のカバー２４を取付けるだけでなく、容器１２の中央部の外周に環状の電気的絶縁材料のカバー２６を取付けるようにしても良い。この環状のカバー２６は、燃料タンク２０に内側への凹み２８がある場合に、燃料タンク２０の内側への凹み２８と容器１２とが接触するのを防止するためである。この環状のカバー２６は、容器１２の上下の縁（へり）のカバー２４と連絡する（図示せず）ことによって、位置がずれないようにするのが望ましい。
【００１７】
図３に示すように、容器３０が例えば四角柱である場合には、容器３０の上下の縁（へり）のカバー３２と、その上下のカバー３２とそれぞれ連絡するものであって上下方向の４個の縁を覆う縦方向のカバー３４が必要である。また、容器３０の周囲において、４個の縦方向のカバー３４を連結するカバー３６を備えるようにしても良い。このように、容器３０の縁にカバー３２，３４を備えることによって、燃料タンク２０と容器３０との接触を防いで、火花の発生を防止することができる。また、４個の縦方向のカバー３４を連結するカバー３６を備えることによって、燃料タンク２０の内側への凹み２８と容器３０との接触を防ぐことができる。
【００１８】
連結具２２は、それが燃料タンク２０の内壁に接触するおそれも考慮して、電気的絶縁材料を用いる。図２においては、複数個の油のクラスター切断具１０を連結具２２を介して燃料タンク２０内に収納したが、容器１２を大きくすれば、１個の油のクラスター切断具１０を使用することができる。
【００１９】
油のクラスター切断具１０を燃料タンク２０内に収納した場合には、油のクラスター切断具１０は、自動車等の加速やブレーキやコーナリング等により、燃料タンク２０内で複雑な揺れ方をする。このため、容器１２内のトルマリン１６とアルミニウム１８とが衝突し、これによってトルマリン１６に多数の電極が発生し、ガソリン等の燃料のクラスターが切断される。ガソリン等の燃料のクラスターが切断される結果、燃料が酸素と結合し易くなり、燃費が向上して走行距離が増加する。更に、排気ガスの中の窒素酸化物と二酸化炭素が減少する。
【００２０】
【発明の効果】
以上説明したように本発明に係る油のクラスター切断具によれば、油のクラスター切断具を油の中に漬けた状態で、容器内のトルマリンとアルミニウムに回転や振動が与えられることによって、トルマリンに多数の電極が発生し、油のクラスターを切断することができる。このため、油が天ぷら油等の食用油である場合には、クラスターの切断によって油が還元される。よって、天ぷら油が酸化されることがないので、天ぷら油を捨てることなく長期間にわたって使用することができ、非常に経済的である。油がガソリン等の燃料である場合には、燃料のクラスターが切断されて、燃料が酸素と結合し易くなり、燃費が向上して走行距離が増加する。クラスターが切断された燃料を使用することにより、排気ガスの中の窒素酸化物と二酸化炭素を減少させることができる。
【図面の簡単な説明】
【図１】本発明に係る油のクラスター切断具の一実施形態を示す部分断面斜視図である。
【図２】本発明に係る油のクラスター切断具を燃料タンクの内部に収納した状態を示す部分断面正面図である。
【図３】本発明に係る油のクラスター切断具の他の実施形態を示す正面図である。
【符号の説明】
１０　油のクラスター切断具
１２　容器
１４　貫通穴
１６　トルマリン
１８　アルミニウム
２０　燃料タンク
２４　カバー
２６　カバー
３０　容器
３２　カバー
３４　カバー
３６　カバー
【図１】
2004143382.tif 000003
【図２】
2004143382.tif 000004
【図３】
2004143382.tif 000005